(57)【要約】【課題】    グレーチングの室外側に大きな隙間を設けなくても容易に着脱することができるグレーチング装置、およびサッシ窓を提供すること。【解決手段】下枠１２の長手方向に沿って設置されるグレーチング４を、下枠１２の室外側端縁に設けたグレーチング支持部３１で支持させ、着脱時において、グレーチング４を傾斜状態を経て設置または取り外し可能に構成したので、網戸２１や屋外平坦面３Ａに干渉することなく、これらの間を通してグレーチング４を着脱することができる。従って、グレーチング４と屋外平坦面３Ａの室内側端縁との間に大きな隙間を設けなくても、グレーチング４を容易に着脱させることができる。【選択図】  図５
2005089981.tif 000002
【特許請求の範囲】
【請求項１】
建物外壁面に設けたサッシ窓の下枠と、建物の屋外に位置する屋外平坦面との間に、当該下枠の長手方向に沿って設置されるグレーチング装置であって、
前記下枠の室外側端縁には、当該下枠の長手方向に沿って延びるグレーチングと、このグレーチングを支持するグレーチング支持部とが設けられており、
前記グレーチングは、
設置状態において、前記グレーチング支持部上に載置されるとともに、当該グレーチングの上面部が略水平であって、前記屋外平坦面と略同一高さ位置に設けられ、
着脱時において、前記上面部の室内側端縁が前記設置状態の上面部の高さ位置よりも下方に位置し、かつ当該上面部が室外側に向かって上方に傾斜した傾斜状態を経て、前記グレーチング支持部上に設置、または当該グレーチング支持部上から取り外し可能に構成されたグレーチング装置。
【請求項２】
前記グレーチングは、少なくとも前記上面部と、この上面部の室内側および室外側の端縁から、当該上面部に略直交して延出する室内外の側面部とを備えて形成され、
前記グレーチング支持部は、前記設置状態における前記グレーチングの室内外の側面部下端を支持する室内外の載置部と、当該室内側の載置部の室外側に隣接して設けられ、室内側の載置部よりも下方に凹んだ凹み部とを備えて形成され、
前記グレーチングの着脱時において、当該グレーチングの室内側の側面部下端を前記グレーチング支持部の凹み部に挿入することで、前記傾斜状態が構成される請求項１に記載のグレーチング装置。
【請求項３】
前記グレーチングは、前記上面部と、この上面部の室内側および室外側の端縁から、当該上面部に略直交して延出する室内外の側面部とを備え、前記設置状態において下方に開口した断面略コ字形に形成され、
前記グレーチング支持部は、前記設置状態における前記グレーチングの室内側の側面部下端を支持する室内側の載置部と、室内側の載置部の室外側に隣接して設けられ、室内側の載置部よりも下方に凹んだ凹み部と、この凹み部の室外側に隣接して設けられ、前記グレーチングの上面部を下方から支持する室外側の載置部とを備えて形成され、
前記グレーチングの着脱時において、当該グレーチングの室内側の側面部下端を前記グレーチング支持部の凹み部に挿入することで、前記傾斜状態が構成される請求項１に記載のグレーチング装置。
【請求項４】
前記グレーチングは、少なくとも前記上面部と、この上面部の室内側および室外側の端縁から、当該上面部に対して鋭角に延出する室内外の傾斜面部とを備えて形成され、
前記グレーチング支持部は、前記設置状態における前記グレーチングの室内外の傾斜面部に室内外から当接して当該グレーチングを支持する室内外の当接部と、これら室内外の当接部間に略水平に形成された水平部とを備えて形成され、
前記グレーチングの着脱時において、当該グレーチングの室内側の傾斜面部を前記グレーチング支持部の水平部上方に対向させることで、前記傾斜状態が構成される請求項１に記載のグレーチング装置。
【請求項５】
上枠、下枠、および左右の縦枠を有する窓枠と、この窓枠内側に開閉自在に支持された障子と、請求項１から請求項４のいずれかに記載のグレーチング装置とを備え、建物外壁面に設けられるサッシ窓。
【請求項６】
前記下枠は、当該下枠の長手方向略全長に渡って設けられ、前記障子の戸車を案内する障子レールと、当該下枠の室外側端縁に設けられ網戸を開閉可能に支持する網戸レールとを備え、
前記障子レールおよび網戸レールの上端と、前記グレーチング支持部上に設置されたグレーチングの上面と、前記建物の屋外に位置する屋外平坦面と、当該建物の室内床面とが略同一高さ位置に設けられている請求項５に記載のサッシ窓。
【発明の詳細な説明】
【技術分野】
【０００１】
本発明は、グレーチング装置、およびサッシ窓に関する。詳しくは、建物外壁面に設けられたサッシ窓における下枠の室外側に設置されるグレーチング装置に関するとともに、このようなグレーチング装置を備えたサッシ窓に関する。
【背景技術】
【０００２】
住宅等のテラスやバルコニー等に面した外壁位置には、居住者が室内およびテラス等の間を出入りするための掃出し窓が設けられている。このような掃出し窓としては、外壁に固定された窓枠と、この窓枠内に開閉自在に支持された可動障子とを備えた、引違い窓や片引き窓等が一般的である。
一方、近年、居住者の高齢化や、車いす利用者の利便性等に配慮したバリアフリータイプの掃出し窓が提案されている（例えば、特許文献１参照）。
【０００３】
特許文献１に記載された掃出し窓の下枠では、障子を案内するガイドレールの上面が略水平に形成されており、下枠の上面がほぼフラットになるように形成されている。そして、下枠の室外側には、グレーチング連結具を介して断面略コ字形のグレーチングが設けられており、このグレーチングの上面、下枠上面、室内床面、および屋外のデッキ材上面（屋外平坦面）がほぼ水平に配置されている。このように、室内床面からデッキ材上面までの間に段差が無いため、居住者や車いすは下枠上をスムーズに通過して、室内外を行き来することができるようになっている。
【０００４】
【特許文献１】特開２００２−２２７５３４号公報
【発明の開示】
【発明が解決しようとする課題】
【０００５】
しかしながら、前記特許文献１に記載の掃出し窓では、可動障子の外側に網戸を設置した場合には、グレーチングの着脱に際して以下のような問題がある。
すなわち、グレーチング連結具の上方からグレーチングを取り付ける、またはグレーチング連結具から上方に向かってグレーチングを取り外そうとすると、下枠の室外側端縁から室外側にオーバーハングした網戸の下端にグレーチングがぶつかってしまい、網戸を取り外さなければグレーチングを着脱することができず、グレーチングの着脱に手間が掛かるという問題がある。
また、グレーチングを室外側にスライドさせた位置でグレーチングを着脱することが考えられるが、このようにグレーチングをスライドさせるためには、グレーチングの室外側端縁とデッキ材との間に大きな隙間が必要になり、この隙間にゴミや小石等が入り込んだり、隙間に引っ掛かって円滑な室内外の往来が阻害されてしまうという問題がある。
【０００６】
本発明の目的は、グレーチングの室外側端縁とデッキ材との間に大きな隙間を設けなくても容易に着脱することができるグレーチング装置、およびサッシ窓を提供することにある。
【課題を解決するための手段】
【０００７】
本発明のグレーチング装置は、建物外壁面に設けたサッシ窓の下枠と、建物の屋外に位置する屋外平坦面との間に、当該下枠の長手方向に沿って設置されるグレーチング装置であって、前記下枠の室外側端縁には、当該下枠の長手方向に沿って延びるグレーチングと、このグレーチングを支持するグレーチング支持部とが設けられており、前記グレーチングは、設置状態において、前記グレーチング支持部上に載置されるとともに、当該グレーチングの上面部が略水平であって、前記屋外平坦面と略同一高さ位置に設けられ、着脱時において、前記上面部の室内側端縁が前記設置状態の上面部の高さ位置よりも下方に位置し、かつ当該上面部が室外側に向かって上方に傾斜した傾斜状態を経て、前記グレーチング支持部上に設置、または当該グレーチング支持部上から取り外し可能に構成されたことを特徴とする。
【０００８】
ここで、屋外平坦面とは、建物の屋外に設けられたテラスやバルコニー等における略水平な歩行面であり、地面や床面、床面上に設置されたデッキ材上面等を意味する。
また、グレーチング支持部は、下枠と一体形成されていてもよく、また下枠と別体で形成され、下枠に対して適宜な固定手段（例えば、ビス止めや溶接等）で固定されたものでもよい。
【０００９】
このような構成によれば、グレーチングの着脱時において、グレーチングの上面部の室内側端縁が設置状態の上面部の高さ位置よりも下方に位置し、かつ上面部が室外側に向かって上方に傾斜した傾斜状態を途中に経て、グレーチングを着脱することで、グレーチング上にオーバーハングした網戸や障子の室外側下端および屋外平坦面の室内側端縁に干渉することなく、これらの間を通してグレーチングを着脱することができる。従って、グレーチングと屋外平坦面の室内側端縁との間に大きな隙間を設けなくても、グレーチングを容易に着脱することができる。
【００１０】
この際、本発明のグレーチング装置では、前記グレーチングは、少なくとも前記上面部と、この上面部の室内側および室外側の端縁から、当該上面部に略直交して延出する室内外の側面部とを備えて形成され、前記グレーチング支持部は、前記設置状態における前記グレーチングの室内外の側面部下端を支持する室内外の載置部と、当該室内側の載置部の室外側に隣接して設けられ、室内側の載置部よりも下方に凹んだ凹み部とを備えて形成され、前記グレーチングの着脱時において、当該グレーチングの室内側の側面部下端を前記グレーチング支持部の凹み部に挿入することで、前記傾斜状態が構成されることが好ましい。
【００１１】
また、本発明のグレーチング装置では、前記グレーチングは、前記上面部と、この上面部の室内側および室外側の端縁から、当該上面部に略直交して延出する室内外の側面部とを備え、前記設置状態において下方に開口した断面略コ字形に形成され、前記グレーチング支持部は、前記設置状態における前記グレーチングの室内側の側面部下端を支持する室内側の載置部と、室内側の載置部の室外側に隣接して設けられ、室内側の載置部よりも下方に凹んだ凹み部と、この凹み部の室外側に隣接して設けられ、前記グレーチングの上面部を下方から支持する室外側の載置部とを備えて形成され、前記グレーチングの着脱時において、当該グレーチングの室内側の側面部下端を前記グレーチング支持部の凹み部に挿入することで、前記傾斜状態が構成されるようにしてもよい。
【００１２】
さらに、本発明のグレーチング装置では、前記グレーチングは、少なくとも前記上面部と、この上面部の室内側および室外側の端縁から、当該上面部に対して鋭角に延出する室内外の傾斜面部とを備えて形成され、前記グレーチング支持部は、前記設置状態における前記グレーチングの室内外の傾斜面部に室内外から当接して当該グレーチングを支持する室内外の当接部と、これら室内外の当接部間に略水平に形成された水平部とを備えて形成され、前記グレーチングの着脱時において、当該グレーチングの室内側の傾斜面部を前記グレーチング支持部の水平部上方に対向させることで、前記傾斜状態が構成されるようにしてもよい。
【００１３】
以上のいずれかの構成によれば、グレーチングの着脱時において、グレーチングの室内側の側面部下端をグレーチング支持部の凹み部に挿入する、あるいは、室内側の傾斜面部下端をグレーチング支持部の水平部上に位置させることで、グレーチングの上面部の室内側端縁が設置状態の上面部の高さ位置よりも下方に位置し、かつ上面部が室外側に向かって上方に傾斜した傾斜状態が構成される。そして、傾斜状態のグレーチングを室外側上方に向かって斜めに引き上げる、あるいは斜め上方から傾斜させたグレーチングを斜めに差し込んで傾斜状態とすることで、網戸や屋外平坦面に干渉することがない。
すなわち、従来の構造では、下方に開口した断面略コ字形のグレーチング内にグレーチング連結具の支持片が入り込んでいるため、例えグレーチングを傾斜状態にできたとしても、グレーチングの室内側側面部に支持片が引っ掛かるため、グレーチングを着脱することができない。これに対して、本願のグレーチング装置では、グレーチングがグレーチング支持部に引っ掛かかることなく、スムーズに着脱することができる。
【００１４】
一方、本発明のサッシ窓は、上枠、下枠、および左右の縦枠を有する窓枠と、この窓枠内側に開閉自在に支持された障子と、請求項１から請求項４のいずれかに記載のグレーチング装置とを備え、建物外壁面に設けられることを特徴とする。
このような構成によれば、サッシ窓において前述と同様の作用効果を得ることができる。
【００１５】
この際、本発明のサッシ窓では、前記下枠は、当該下枠の長手方向略全長に渡って設けられ、前記障子の戸車を案内する障子レールと、当該下枠の室外側端縁に設けられ網戸を開閉可能に支持する網戸レールとを備え、前記障子レールおよび網戸レールの上端と、前記グレーチング支持部上に設置されたグレーチングの上面と、前記建物の屋外に位置する屋外平坦面と、当該建物の室内床面とが略同一高さ位置に設けられていることが好ましい。
このような構成によれば、室内床面から、下枠およびグレーチングを介して、屋外平坦面までの間を段差が無くフラットに構成できるので、居住者や車いすは下枠およびグレーチング上をスムーズに通過して、室内外を行き来することができ、バリアフリー対応のサッシ窓を構成することができる。
【発明を実施するための最良の形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００１７】
〔第１実施形態〕
本発明の第１実施形態に係るサッシ窓としての引違い窓について、図１ないし図５に基づいて説明する。
図１、図２は、本実施形態の引違い窓１０を示す縦断面図、および横断面図である。図３、図４は、引違い窓１０の下枠部分を示す斜視図である。図５は、本実施形態のグレーチング装置を示す縦断面図である。なお、図３、４では、後述する隙間用アタッチメント等の一部の部品の図示を省略している。
また、本実施形態では、引違い窓１０について説明を行うが、本発明のサッシ窓は、引違い窓に限らず、片引き窓でもよい。
【００１８】
図１、２において、引違い窓１０は、建物１の外壁２面に設けられ、建物１の室内空間と室外空間とを仕切っている。建物１は、例えば戸建て住宅であって、引違い窓１０の室外側である屋外にはテラスやバルコニーが設けられており、このテラス等には、木質材料等からなるデッキ材３が敷かれ、このデッキ材３の上面により屋外平坦面３Ａが構成されている。そして、このデッキ材３と引違い窓１０との間には、雨水等を図示しない排水溝に導くグレーチング４が設けられており、屋外平坦面３Ａおよびグレーチング４の上面は、室内床面５と略同一の高さ位置となっている。そして、引違い窓１０では、後述する下枠１２の上面も室内床面５と略同一の高さ位置でフラットに形成されている。従って、居住者が引違い窓１０を通って室内外間を往来する際に、室内外床レベルの段差がないので上り下りする必要がなく、楽に出入りできるとともに、車いすを利用する居住者であっても容易に出入りできるようになっている。すなわち、引違い窓１０は、室内外の床段差を小さくした、バリアフリータイプの掃出し窓である。
【００１９】
引違い窓１０は、それぞれアルミ押出形材製の上枠１１、下枠１２、および左右の縦枠１３を四周枠組みした窓枠１４と、この窓枠１４の内側に開閉自在に支持された１組の障子１５とを備えて構成されている。窓枠１４は、建物１の床スラブ６や壁躯体７にアンカー等を介して固定されている。障子１５は、それぞれアルミ押出形材製の上框１６、下框１７、左右の縦框１８、および縦框１８同士を連結する中桟１９を略日字形に框組みした内部に、ガラスパネル２０を嵌め込んで構成されている。
【００２０】
下枠１２は、断面略三角形中空状の下枠本体部１２１と、この下枠本体部１２１の上面に立設され、一対の障子１５に対応した２本の障子レール１２２と、室内外の側壁部１２３，１２４とを備えて形成されている。障子レール１２２は、下枠１２の略全長に渡って下枠本体部１２１に一体に形成されており、障子レール１２２の上端には、障子１５の下框１７に設けられた戸車１７１を転動可能に支持する略水平な戸車案内部１２２Ａが形成されている。また、２本の障子レール１２２同士の間、および障子レール１２２と室内外の側壁部１２３，１２４との間には、それぞれ隙間用アタッチメント１２５，１２６，１２７が介装されている。これらの、隙間用アタッチメント１２５，１２６，１２７の上面は、障子レール１２２の戸車案内部１２２Ａおよび室内外の側壁部１２３，１２４と略同一高さ位置に設けられており、これにより下枠１２の上面が略フラットに形成されている。
【００２１】
また、図３、４にも示すように、グレーチング装置は、グレーチング４と、下枠１２の室外側に設けられたグレーチング支持部としてのグレーチング支持材３１とを備えて構成されている。このグレーチング支持材３１は、下枠１２の長手方向に関して少なくとも２箇所に、下枠本体部１２１の室外側側面から室外側に突出して設けられている。グレーチング４は、下枠１２の略全長に沿って延びる長尺のアルミ製またはＳＵＳ製部材であり、上面部４１と、この上面部４１の室内外の端縁から下方に延出する室内外の側面部４２，４３と、これら室内外の側面部４２，４３の下端に連続する折曲部４４とを備えて、断面略コ字形に形成されている。グレーチング４の上面部４１には、排水用のスリット孔４Ａがグレーチング４の長手方向に複数並べて設けられている。
【００２２】
次に、図４、５に基づいて、本実施形態のグレーチング支持材３１について説明する。
グレーチング支持材３１は、アルミ製またはＳＵＳ製の板材から折り曲げ加工により形成されており、下枠本体部１２１に固定される２つの固定面部３２と、これらの固定面部３２から室外側に延出する２つの延出面部３３と、これらの延出面部３３の先端同士を連結する前面部３４とを備えている。グレーチング支持材３１の固定面部３２は、ビス止めにより下枠本体部１２１の室外側側面に固定されている。２つの延出面部３３の上端縁は略水平とされ、この上端縁には、下枠１２の室外側側壁部１２４に沿って上方に突出した突部３３Ａと、この突部３３Ａの室外側で下方に凹んだ凹み部３３Ｂとが形成されている。この凹み部３３Ｂは、室内側から室外側に向かって下がる傾斜部と、室外側から室内側に向かって下がる傾斜部とを備え、これらの傾斜部が略直交する下向きに凸な切欠きとして形成されている。そして、延出面部３３の上端縁のうち、突部３３Ａと凹み部３３Ｂとの間の部分が室内側載置部３３Ｃとされ、凹み部３３Ｂよりも室外側の部分が室外側載置部３３Ｄとされている。また、前記前面部３４の上端は、室外側載置部３３Dよりも上方に突出した突出部３４Ａとなっている。
【００２３】
グレーチング４は、図５中、一点鎖線で示す設置状態において、室内外の側面部４２，４３下端の折曲部４４が、それぞれ室内外の載置部３３Ｃ，３３Ｄに支持されて、グレーチング支持材３１上に載置されている。これにより、グレーチング４に上方から作用する荷重に対しては、室内外の載置部３３Ｃ，３３Ｄで確実に支持され、グレーチング４が移動しないようになっている。また、設置状態において、グレーチング４の室内側の側面部４２は突部３３Ａに当接し、室外側の側面部４３は前面部３４の突出部３４Ａに当接している。これにより、グレーチング４が室内外方向に関して位置決めされ、室内外方向に作用する荷重に対しても、グレーチング４が移動しないようになっている。
このような設置状態のグレーチング４の上方には、下枠１２の室外側側壁部１２４に支持された網戸２１がオーバーハングして設けられている。この網戸２１は、その下框２２に取り付けられた戸車２２１が下枠１２の室外側側壁部１２４上端に転動可能に支持され、引違い窓１０の窓枠１４内に開閉自在に設けられている。すなわち、室外側側壁部１２４によって網戸レールが構成されている。
【００２４】
次に、グレーチング４の着脱方法について説明する。
設置状態のグレーチング４を取り外す際には、グレーチング４の上面部４１の室外側をペンチ等を用いて上方に持ち上げ、グレーチング４の室外側の側面部４３下端がグレーチング支持材３１の前面部３４の突出部３４Ａ上端よりも高くなった位置で、グレーチング４を若干室外側に移動させると、グレーチング４の室内側の側面部４２下端がグレーチング支持材３１の凹み部３３Ｂに落ち込み、グレーチング４が傾斜する。すなわち、図５中、実線で示すように、グレーチング４の上面部４１の室内側端縁が設置状態の上面部４１の高さ位置よりも下方に位置し、かつ上面部４１が室外側に向かって上方に傾斜した傾斜状態が構成される。
【００２５】
このようにして傾斜状態になったグレーチング４では、グレーチング４の室外側の側面部４３下端が屋外平坦面３Ａよりも上方に位置するが、上面部４１が網戸２１の下框２２と干渉しないようになっている。そして、傾斜状態のグレーチング４を室外側上方に引き上げることで、屋外平坦面３Ａや網戸２１の下框２２にぶつかることなくグレーチング４が取り外されるようになっている（図５中、二点鎖線で示す）。
次に、グレーチング４をグレーチング支持材３１に設置する際には、上記取り外し手順と逆に、傾斜させたグレーチング４を室外側から屋外平坦面３Ａと網戸２１の下框２２との間を通してグレーチング支持材３１上に載置し、前記傾斜状態を構成する。そして、グレーチング４の上面部４１の室外側を押し下げるとともに、グレーチング４を若干室内側に移動させる。これにより、グレーチング４の室内外の側面部４２，４３下端が、それぞれグレーチング支持材３１の室内外の載置部３３Ｃ，３３Ｄに支持され、グレーチング４がグレーチング支持材３１上に設置されるようになっている。
【００２６】
このような本実施形態によれば、以下のような効果がある。
（１）下枠１２上面をフラットに形成するとともに、室内床面５、下枠１２上面、グレーチング４の上面、および屋外平坦面３Ａを略同一高さ位置としたことで、室内床面５から屋外平坦面３Ａまでの間を段差が無くフラットに構成できる。従って、居住者や車いすが下枠１２およびグレーチング４上をスムーズに通過して、室内外を行き来することができる、バリアフリー対応の引違い窓１０を構成することができる。
【００２７】
（２）また、グレーチング４の着脱時において、途中に傾斜状態を経てグレーチングが着脱されることで、網戸２１の下框２２および屋外平坦面３Ａの室内側端縁に干渉することなく、これらの間を通してグレーチング４を着脱することができる。従って、網戸２１を取り外す必要がなく、またグレーチング４と屋外平坦面３Ａの室内側端縁との間に大きな隙間を設けなくても、グレーチング４を容易に着脱することができる。
【００２８】
（３）さらに、グレーチング４の着脱時において、グレーチング４の室内側の側面部４２下端をグレーチング支持材３１の凹み部３３Ｂに挿入することで、容易に傾斜状態を構成することができる。そして、傾斜状態のグレーチング４を室外側上方に向かって斜めに引き上げる、あるいは斜め上方から傾斜させたグレーチング４を斜めに差し込んで傾斜状態とすることで、網戸２１や屋外平坦面３Ａに干渉することなく、グレーチング４を着脱することができる。
【００２９】
（４）また、グレーチング４の設置状態において、室内外の側面部４２，４３下端の折曲部４４が、それぞれグレーチング支持材３１の室内外の載置部３３Ｃ，３３Ｄに支持され、また、室内外の側面部４２，４３がグレーチング支持材３１の突部３３Ａおよび前面部３４の突出部３４Ａに当接して室内外方向に関して位置決めされているので、上方からの荷重、あるいは室内外方向の荷重がグレーチング４に作用しても、グレーチング４が移動せず、設置状態が良好に維持できる。
【００３０】
〔第２実施形態〕
次に、本発明の第２実施形態に係るグレーチング装置について、図６に基づいて説明する。
図６は、本実施形態のグレーチング装置を示す縦断面図である。
本実施形態のグレーチング装置は、グレーチング４、およびグレーチング支持材３１の形態が前述の第１実施形態と相違し、それ以外の構成は略同様である。以下、相違点について詳しく説明する。
【００３１】
グレーチング４は、第１実施形態と略同様に、上面部４１と、室内外の側面部４２，４３とを備えて形成されており、折曲部を備えず、室内側の側面部４２よりも室外側の側面部４３が短く形成された点が第１実施形態と相違している。
グレーチング支持材３１は、第１実施形態と略同様に、２つの固定面部３２と、これらの固定面部３２から室外側に延出する２つの延出面部３５と、前面部３４とを備えている。延出面部３５の上端縁には、下枠１２の室外側側壁部１２４に隣接して室内側載置部３５Ａが設けられ、この室内側載置部３５Ａの室外側に下方に凹んだ凹み部３５Ｂが形成され、この凹み部３５Ｂの室外側に室外側載置部３５Ｃが設けられている。凹み部３５Ｂは、室内側載置部３５Ａから若干上方に立ち上がった立上り部３５Ｄから室外側に向かって下がる傾斜部と、室外側載置部３５Ｃの室内側端から室内側に向かって下がる傾斜部とを備えて形成されている。そして、凹み部３５Ｂの底部である２つの傾斜部の交差位置は、網戸２１の下框２２の下端室外側端縁よりも室外側に位置されている。
【００３２】
グレーチング４は、図６中、一点鎖線で示す設置状態において、室内側の側面部４２下端が、室内側載置部３５Ａに支持され、室外側載置部３５Ｃに上面部４１の下面が支持されて、グレーチング支持材３１上に載置されている。これにより、グレーチング４に上方から作用する荷重に対しては、室内外の載置部３５Ａ，３５Ｃで確実に支持され、グレーチング４が移動しないようになっている。また、設置状態において、グレーチング４の室内側の側面部４２の室外側側面は立上り部３５Ｄに当接し、室外側の側面部４３の室内側側面は前面部３４の室外側側面に当接している。これにより、グレーチング４が室内外方向に関して位置決めされ、室内外方向に作用する荷重に対しても、グレーチング４が移動しないようになっている。
【００３３】
次に、グレーチング４の着脱方法について説明する。
設置状態のグレーチング４を取り外す際には、グレーチング４の室内側の側面部４２の下端がグレーチング支持材３１の室内側載置部３５Ａから立上り部３５Ｄを越えるように、グレーチング４を上方に持ち上げるとともに、室外側に移動させる。そして、グレーチング４の室外側の側面部４３の下端が屋外平坦面３Ａの上方になるように、グレーチング４を傾けながら室外側に移動させると、グレーチング４の室内側の側面部４２下端がグレーチング支持材３１の凹み部３５Ｂに落ち込み、図６中、実線で示す傾斜状態が構成される。さらに、傾斜状態のグレーチング４を室外側上方に引き上げることで、屋外平坦面３Ａや網戸２１の下框２２にぶつかることなくグレーチング４が取り外されるようになっている（図６中、二点鎖線で示す）。また、グレーチング４の設置手順は、上記取り外し手順と逆である。
【００３４】
このような本実施形態によれば、前述の（１）、（２）の効果と略同様の効果を奏することができる他、以下の効果を得ることができる。
（５）すなわち、グレーチング４の着脱時において、グレーチング４の室内側の側面部４２下端をグレーチング支持材３１の凹み部３５Ｂに挿入することで、容易に傾斜状態を構成することができる。そして、傾斜状態のグレーチング４を室外側上方に向かって斜めに引き上げる、あるいは斜め上方から傾斜させたグレーチング４を斜めに差し込んで傾斜状態とすることで、網戸２１や屋外平坦面３Ａに干渉することなく、グレーチング４を着脱することができる。
【００３５】
（６）また、グレーチング４の設置状態において、室内側の側面部４２下端が、グレーチング支持材３１の室内側載置部３５Ａに支持され、上面部４１の下面が室外側載置部３５Ｃに支持され、また、室内外の側面部４２，４３がグレーチング支持材３１の立上り部３５Ｄおよび前面部３４に当接して室内外方向に関して位置決めされているので、上方からの荷重、あるいは室内外方向の荷重がグレーチング４に作用しても、グレーチング４が移動せず、設置状態が良好に維持できる。
【００３６】
〔第３実施形態〕
次に、本発明の第３実施形態に係るグレーチング装置について、図７に基づいて説明する。
図７は、本実施形態のグレーチング装置を示す縦断面図である。
本実施形態のグレーチング装置は、グレーチング４、およびグレーチング支持材３１の形態が前述の第１、第２実施形態と相違し、それ以外の構成は略同様である。以下、相違点について詳しく説明する。
【００３７】
グレーチング４は、第１実施形態と略同様な上面部４１と、この上面部４１の室内外の端縁から、上面部４１に対して鋭角に延出する、すなわち上面部４１の中央側に向かって斜め下方に延出する室内外の傾斜面部４５，４６を備えて、断面略コ字形に形成されている。
グレーチング支持材３１は、第１実施形態と略同様に、２つの固定面部３２と、これらの固定面部３２から室外側に延出する２つの延出面部３６と、前面部３４とを備えている。延出面部３６の上端縁には、設置状態におけるグレーチング４の室内外の傾斜面部４５，４６に室内外から当接する室内外の当接部３６Ａ，３６Ｂと、これら室内外の当接部３６Ａ，３６Ｂの下端に設けられグレーチング４の室内外の傾斜面部４５，４６下端を支持する室内外の載置部３６Ｃ，３６Ｄと、これら室内外の載置部３６Ｃ，３６Ｄ間に略水平に形成された水平部３６Ｅとが形成されている。当接部３６Ａ，３６Ｂは、グレーチング４の室内外の傾斜面部４５，４６と略同一な傾斜角度を有しており、傾斜面部４５，４６に対して線状に当接するようになっている。また、室内外の載置部３６Ｃ，３６Ｄは、水平部３６Ｅよりも若干下がった位置に設けられており、室内外の傾斜面部４５，４６下端が引っ掛かるようになっている。
【００３８】
グレーチング４は、図７中、一点鎖線で示す設置状態において、室内外の傾斜面部４５，４６がグレーチング支持材３１の当接部３６Ａ，３６Ｂに当接し、傾斜面部４５，４６下端が、室内外の載置部３６Ｃ，３６Ｄに支持されて、グレーチング支持材３１上に載置されている。これにより、グレーチング４に上方から作用する荷重に対しては、室内外の当接部３６Ａ，３６Ｂおよび載置部３６Ｃ，３６Ｄで確実に支持され、グレーチング４が移動しないようになっている。また、設置状態において、グレーチング４の室内外の傾斜面部４５，４６先端は、グレーチング支持材３１の当接部３６Ａ，３６Ｂと水平部３６Ｅとの段差部分に引っ掛かっている。これにより、グレーチング４が室内外方向に関して位置決めされ、室内外方向に作用する荷重に対しても、グレーチング４が移動しないようになっている。
【００３９】
次に、グレーチング４の着脱方法について説明する。
設置状態のグレーチング４を取り外す際には、グレーチング４の室内側の傾斜面部４５の下端がグレーチング支持材３１の室内側載置部３６Ｃから段差を越えて水平部３６Ｅに移動するように、グレーチング４を上方に持ち上げるとともに、室外側に移動させる。そして、グレーチング４の室外側の傾斜面部４６の下端が屋外平坦面３Ａの上方になるように、グレーチング４を傾けながら室外側に移動させると、グレーチング４の室内側の傾斜面部４５下端がグレーチング支持材３１の水平部３６Ｅ上を移動し、室内側の傾斜面部４５が水平部３６Ｅに対向した、図７中、実線で示す傾斜状態が構成される。さらに、傾斜状態のグレーチング４を室外側上方に引き上げることで、屋外平坦面３Ａや網戸２１の下框２２にぶつかることなくグレーチング４が取り外されるようになっている（図７中、二点鎖線で示す）。また、グレーチング４の設置手順は、上記取り外し手順と逆である。
【００４０】
このような本実施形態によれば、前述の（１）、（２）の効果と略同様の効果を奏することができる他、以下の効果を得ることができる。
（７）すなわち、グレーチング４の着脱時において、グレーチング４を傾斜させ、室内側の傾斜面部４５下端をグレーチング支持材３１の水平部３６Ｅ上を移動させることで、容易に傾斜状態を構成することができる。そして、傾斜状態のグレーチング４を室外側上方に向かって斜めに引き上げる、あるいは斜め上方から傾斜させたグレーチング４を斜めに差し込んで傾斜状態とすることで、網戸２１や屋外平坦面３Ａに干渉することなく、グレーチング４を着脱することができる。
【００４１】
（８）また、グレーチング４の設置状態において、室内外の傾斜面部４５，４６がグレーチング支持材３１の当接部３６Ａ，３６Ｂに当接し、傾斜面部４５，４６下端が、室内外の載置部３６Ｃ，３６Ｄに支持され、また、傾斜面部４５，４６先端が、グレーチング支持材３１の当接部３６Ａ，３６Ｂと水平部３６Ｅとの段差部分に引っ掛かっているので、上方からの荷重、あるいは室内外方向の荷重がグレーチング４に作用しても、グレーチング４が移動せず、設置状態が良好に維持できる。
【００４２】
なお、本発明は、前記各実施形態に限定されるものではなく、本発明の目的を達成できる他の構成等を含み、以下に示すような変形等も本発明に含まれる。
例えば、グレーチング４やグレーチング支持材３１の形態は、前記各実施形態において説明したものに限定されるものではなく、適宜変更することが可能である。すなわち、グレーチング４やグレーチング支持材３１の形態は、設置状態においてグレーチング４が良好に支持され、着脱時に傾斜状態が構成できればよい。
また、前記実施形態では、グレーチング４を下枠１２の略全長に渡る長尺部材としたが、これに限らず、グレーチング４を分割してもよい。グレーチング４を分割した場合には、分割された各々のグレーチング４に応じてグレーチング支持部を設ければよい。
また、前記第１実施形態では、グレーチング４を断面略コ字形に形成したが、断面略ロ字形でもよく、また、略矩形断面を有する中実な部材でグレーチングを構成してもよい。
【００４３】
また、前記実施形態では、グレーチング支持部を下枠本体部１２１にビス止め固定されたグレーチング支持材３１から構成したが、これに限らず、グレーチング支持部を下枠１２と一体に形成してもよい。この際、下枠１２をグレーチング支持部が一体に形成された押出形材で構成することができる。
【００４４】
また、前記実施形態では、下枠１２の上面をフラットに形成したが、これに限らず、下枠の上面が室外側に向かって下がる傾斜を有していてもよい。また、前記実施形態では、障子レール１２２の上端に略水平な戸車案内部１２２Ａを形成したが、この戸車案内部１２２Ａは略水平でなくてもよい。さらに、障子レール１２２間や障子レール１２２と室内外の側壁部１２３，１２４との間に隙間用アタッチメント１２５，１２６，１２７を介装したが、これらの隙間用アタッチメント１２５，１２６，１２７は省略することができる。ただし、障子レール１２２の上端に略水平な戸車案内部１２２Ａを形成し、隙間用アタッチメント１２５，１２６，１２７を設けることで、下枠１２の上面がフラットにでき、室内外の往来がスムーズにできるという効果がある。
【００４５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４６】
【図１】本発明の第１実施形態に係る引違い窓を示す縦断面図である。
【図２】前記引違い窓を示す横断面図である。
【図３】前記引違い窓の下枠部分を示す斜視図である。
【図４】前記引違い窓の下枠部分を示す斜視図である。
【図５】前記実施形態のグレーチング装置を示す縦断面図である。
【図６】本発明の第２実施形態に係るグレーチング装置を示す縦断面図である。
【図７】本発明の第３実施形態に係るグレーチング装置を示す縦断面図である。
【符号の説明】
【００４７】
１…建物、３Ａ…屋外平坦面、５…室内床面、１０…サッシ窓である引違い窓、１１…上枠、１２…下枠、１３…縦枠、１５…障子、２１…網戸、３１…グレーチング支持材（グレーチング支持部）、３３Ｂ，３５Ｂ…凹み部、３３Ｃ，３５Ａ…室内側載置部、３３Ｄ，３５Ｃ…室外側載置部、３６Ａ，３６Ｂ…当接部、３６Ｅ…水平部、４１…上面部、４２，４３…側面部、４５，４６…傾斜面部、１２２…障子レール、１２４…網戸レールである室外側側壁部、１７１…戸車。
【図１】
2005089981.tif 000003
【図２】
2005089981.tif 000004
【図３】
2005089981.tif 000005
【図４】
2005089981.tif 000006
【図５】
2005089981.tif 000007
【図６】
2005089981.tif 000008
【図７】
2005089981.tif 000009